(57)【要約】      （修正有）【課題】目薬液収納容器を使用して点眼する場合に、細菌感染の可能性をより低減して安全に点眼を行うことができる点眼具を提供する。【解決手段】キャップ部１１を有する目薬液収納容器１２と、全体略接頭円錐台形状に形成され、下部が開放されると共に上部平面部には軸方向に沿って上記点眼液収納容器をキャップ１１を付けた状態で着脱可能に挿通固定しうる孔部１３が設けられた点眼補助具１４とを備える。携帯時には、上記点眼補助具内に上記点眼液収納容器を配置した状態で上記孔部に上記キャップ部を介して目薬液収納容器を固定すると共に、使用時には、キャップを付けたまま上記目薬液収納容器を点眼補助具から抜き出し、上記上部平面部の上方側から点眼液収納容器を上記キャップ部を介して上記孔部に挿通固定し、キャップ部を下方に抜き取ることにより点眼する。【選択図】図４
0003164628.tif 000002
【実用新案登録請求の範囲】
【請求項１】
キャップ部を有する目薬液収納容器と、全体略接頭円錐台形状に形成され、下部が開放されると共に上部平面部には軸方向に沿って上記点眼液収納容器をキャップ部を付けた状態で着脱可能に挿通固定しうる孔部が設けられた点眼補助具とを備え、
携帯時には、上記点眼補助具内に上記目薬液収納容器を配置した状態で上記孔部に上記キャップ部を介して目薬液収納容器を固定すると共に、使用時には、上記目薬液収納容器をキャップ部を付けたまま点眼補助具から抜き出し、上記上部平面部の上方側から点眼液収納容器を上記キャップ部を介して上記孔部に挿通固定し、キャップ部を下方に抜き取ることにより点眼することを特徴とする点眼具。
【請求項２】
上記孔部の周縁部には多数の小さな凹部が形成されていると共に、上記点眼液収納具のキャップ部の周縁部には、軸方向に沿って上記凹部に係合する多数の凸部が設けられていることを特徴とする請求項１記載の点眼具。
【請求項３】
上記点眼補助具は合成樹脂製であることを特徴とする請求項２記載の点眼具。
【考案の詳細な説明】
【技術分野】
【０００１】
本考案は点眼具の改良に関する。
【背景技術】
【０００２】
従来より、市販され、又は医院により処方された目薬液収納容器と共に使用しうる点眼補助具が販売されている。
【０００３】
このような点眼補助具は、合成樹脂製であって使用者の目の開口部に配置できるように下部が開放された側面台形の山形状に形成され、上部には目薬液収納容器のキャップを外した細径凸部の排液部を挿入固定しうる孔部を有している。
【０００４】
使用時には、目薬液収納容器の細径凸部からなる排液部のキャップを外し、上部に形成された孔部に排液部を上方から挿入して点眼補助具に目薬液収納容器を固定し、開放された下部を眼の開口部に配置して、指で目薬液収納容器を押圧して目薬液を滴下させる。
【０００５】
その結果、点眼補助具により目薬液収納容器が固定されることから、滴下時に、手が振れて排液部が眼球に触れ、場合によっては眼球を傷つける、という事態を防止することができると共に、使用時にキャップを外した排液部の孔部付近に手等が触れ、排液部に細菌が付着し細菌感染を起こす、といった事態を有効に防止することができる。
【０００６】
しかしながら、このような従来の点眼補助具にあっては、上記のように、点眼補助具に目薬液収納容器を固定する場合には、指によりキャップを外して排液部を点眼補助具の上部の孔部に挿通固定する必要があり、キャップを外した際や、外して点眼補助具に固定する間に、指等が排液部に触れる可能性があることから、場合によっては細菌感染のおそれがあり、なお、安心して使用できない、という欠点があった。従って、従来より、点眼時に、より細菌感染の可能性を低減したい、という要請があった。
【考案の開示】
【考案が解決しようとする課題】
【０００７】
本考案はこのような従来からの要請に応えるものであって、その課題は、目薬液収納容器を使用して点眼する場合に、細菌感染の可能性をより低減して安全に点眼を行うことにある。
【課題を解決するための手段】
【０００８】
上記課題を解決するため、請求項１記載の考案にあっては、キャップ部を有する目薬液収納容器と、全体略接頭円錐台形状に形成され、下部が開放されると共に上部平面部には軸方向に沿って上記点眼液収納容器をキャップを付けた状態で着脱可能に挿通固定しうる孔部が設けられた点眼補助具とを備え、携帯時には、上記点眼補助具内に上記点眼液収納容器を配置した状態で上記孔部に上記キャップ部を介して目薬液収納容器を固定すると共に、使用時には、キャップを付けたまま上記目薬液収納容器を点眼補助具から抜き出し、上記上部平面部の上方側から点眼液収納容器を上記キャップ部を介して上記孔部に挿通固定し、キャップ部を下方に抜き取ることにより点眼することを特徴とする。
【０００９】
従って、請求項１記載の考案にあっては、使用時に、キャップを外すことなく目薬液収納容器を点眼補助具に装着すると共に、目薬液収納容器を点眼補助具に固定した状態のままでキャップを外すことができる。
【００１０】
請求項２記載の考案にあっては、上記孔部の周縁部には多数の小さな凹部が形成されていると共に、上記点眼液収納具のキャップの周縁部には、軸方向に沿って上記凹部に係合する多数の凸部が設けられていることを特徴とする。
【００１１】
従って、請求項２記載の考案にあっては、上記キャップは上記孔部の凹部に対して上記凸部により係合固定される。
【００１２】
請求項３記載の考案にあっては、上記点眼補助具は合成樹脂製であることを特徴とする。
【考案の効果】
【００１３】
請求項１記載の考案にあっては、携帯時には、上記点眼補助具内に上記点眼液収納容器を配置した状態で上記孔部に上記キャップ部を介して目薬液収納容器を固定すると共に、使用時には、上記目薬液収納容器を点眼補助具から抜き出し、上記上部平面部の上方側から点眼液収納容器を上記キャップ部を介して上記孔部に挿通固定し、キャップ部を下方に抜き取り、点眼補助具を使用者の目の周囲に当てて点眼するように構成されていることから、従来とは異なり、使用時に、キャップを外すことなく目薬液収納容器を点眼補助具に装着し、目薬液収納容器のキャップを点眼補助具に装着した状態のまま外すことができるため、使用時に目薬液収納容器の目薬液の排液部が手等に触れることがない。
【００１４】
その結果、本考案によれば、目薬液収納容器を使用して点眼する場合に、より細菌感染の可能性がなく、より安全に点眼を行うことができる。
【００１５】
請求項２記載の考案にあっては、上記孔部の周縁部には多数の小さな凹部が形成されていると共に、上記目薬液収納容器のキャップの周縁部には、軸方向に沿って上記凹部に係合する多数の凸部が設けられており、上記キャップは上記孔部の凹部に対して上記凸部により係合固定されるように構成されていることから、目薬液収納容器は上記キャップを介して点眼補助具の孔部に確実に係合し、かつ、容易に取り外すことができる。
【００１６】
請求項３記載の考案にあっては、上記点眼補助具は合成樹脂製であることから、軽量で携帯に便利な点眼具を構成することができる。
【図面の簡単な説明】
【００１７】
【図１】本考案に係る点眼具の一実施の形態を示す斜視図である。
【図２】本考案に係る点眼具を構成する点眼補助具の一実施の形態を示す斜視図である。
【図３】本考案に係る点眼具を使用する場合に、目薬液収納容器を反転させてキャップ部により点眼補助具の孔部に固定させた状態を示す斜視図である。
【図４】本考案に係る点眼具において、キャップ部を取り外し、使用者の顔の眼の部位に点眼補助具を当接させて点眼している状態を示す斜視図である。
【考案を実施するための最良の形態】
【００１８】
図１に示すように、本実施の形態に係る点眼具１０は、キャップ部１１を有する目薬液収納容器１２と、全体略接頭円錐台形状に形成され、下部１６が開放されると共に上部平面部１７には軸方向に沿って上記点眼液収納容器１２をキャップ部１１を付けた状態で着脱可能に挿通固定しうる孔部１３が設けられた点眼補助具１４とを備えている。
【００１９】
本実施の形態にあっては、上記目薬液収納容器１２は全体円筒状に形成され、キャップ部１１と本体部１８とからなる。図４に示すように、上記本体部１８の先端部には細径の排液部１９が形成されている。
【００２０】
本実施の形態にあっては、上記点眼補助具１４はエラストマー製であって、図４に示すように、目薬液収納容器１２が装着固定された状態で開放された下部１６を使用者の眼２０の周囲に当接した状態で、目薬液収納容器１２を押圧操作して点眼を行うものである。
【００２１】
また、図２に示すように、上記孔部１３の周縁部には多数の小さな凹部１５が形成されていると共に、上記点眼液収納具のキャップ部１１の周縁部には、軸方向に沿って上記凹部１５に係合する多数の突条２１が設けられている。
【００２２】
従って、本実施の形態に係る点眼具１０を携帯する時には、図1に示すように、上記点眼補助具１４内に上記目薬液収納容器１２を配置した状態で下部１６から挿入して、上記孔部１３に上記キャップ部１１を介して目薬液収納容器１２を固定した状態で携帯する。
【００２３】
一方、使用時には、上記目薬液収納容器１２をキャップ部１１を付けたまま点眼補助具１４から下方へ抜き出し、図３に示すように、上記上部平面部１７の上方側から目薬液収納容器１２を上記キャップ部１１を介して上記孔部１３に挿通固定し、図４に示すように、キャップ部１１を下方に抜き取る。
【００２４】
この状態で、図４に示すように、点眼具１０を、使用者等の、点眼を行う眼２０の部位に持っていき、上記点眼補助具１４の下部１６内に眼２０が入るように設置して、目薬液収納容器１２を指で押圧操作して点眼を行う。
なお、本実施の形態にあっては、点眼補助具１４が、全体接頭円錐台形状に形成されている場合を例に説明したが、本実施の形態に限定されない。また、目薬液収納容器１２が円筒状に形成された場合を例に説明したが、本実施の形態には限定されず、どのような形状であってもよい。
【符号の説明】
【００２５】
１０  点眼具
１１  キャップ部
１２  目薬液収納容器
１３  孔部
１４  点眼補助具
１５  凹部
１６  下部
１７  上部平面部
１８  本体部
１９  排液部
２０  眼
２１  凸部（凸条）
【図１】
0003164628.tif 000003
【図２】
0003164628.tif 000004
【図３】
0003164628.tif 000005
【図４】
0003164628.tif 000006